(57)【要約】【課題】ＩＣカード挿抜の際に確実に電源が入っていない状態にすることが可能な電源供給ケーブルを提供することを目的とする。【解決手段】電子機器に電源を供給するための電源供給ケーブルであって、ＩＣカード２を装着するＩＣカード装着部３と、ＩＣカード装着部３に装着されたＩＣカード２の情報を前記電子機器で読取可能に接続する接続部４と、を備え、ＩＣカード装着部３の挿入口は、接続部４が前記電子機器に嵌合される方向に向いていることを特徴とする。【選択図】図３
2015106537.tif 000002
【特許請求の範囲】
【請求項１】
電子機器に電源を供給するための電源供給ケーブルであって、
ＩＣカードを装着するＩＣカード装着部と、
前記ＩＣカード装着部に装着されたＩＣカードの情報を前記電子機器で読取可能に接続する接続部と、を備え、
前記ＩＣカード装着部の挿入口は、前記接続部が前記電子機器に嵌合される方向に向いていることを特徴とする電源供給ケーブル。
【請求項２】
前記ＩＣカード装着部の挿入口が、前記電子機器の外装面と対向する位置にあることを特徴とする請求項１に記載の電源供給ケーブル。
【請求項３】
他端側がコンセントに接続するためのプラグであることを特徴とする請求項１または２に記載の電源供給ケーブル。
【請求項４】
電子機器に電源を供給するための外部電源ケーブルと前記電子機器との間に設けられる中継コネクタであって、
ＩＣカードを装着するＩＣカード装着部と、
前記ＩＣカード装着部に装着されたＩＣカードの情報を前記電子機器で読取可能に接続する接続部と、を備え、
前記ＩＣカード装着部の挿入口は、前記接続部が前記電子機器に嵌合される方向に向いていることを特徴とする中継コネクタ。
【請求項５】
請求項１〜３のいずれかに記載の電源供給ケーブルが接続されて、電源が供給されるとともに、前記接続部を介して前記ＩＣカードの情報を処理する情報処理部を備えた電子機器と、前記電源供給ケーブルからなることを特徴とする電子機器ユニット。
【請求項６】
請求項４に記載の中継コネクタを介して外部電源ケーブルが接続されて、電源が供給されるとともに、前記接続部を介して前記ＩＣカードの情報を処理する情報処理部を備えた電子機器と、前記中継コネクタ及び外部電源ケーブルからなることを特徴とする電子機器ユニット。
【請求項７】
前記ＩＣカード装着部の挿入口と前記電子機器の外装面との間隔が、ＩＣカードの挿入方向の幅よりも小さいことを特徴とする請求項５または６に記載の電子機器ユニット。
【発明の詳細な説明】
【技術分野】
【０００１】
本発明は、電源供給ケーブル、中継コネクタ及び電子機器ユニットにおいて、特にＩＣカードを用いた電源供給ケーブル、中継コネクタ及び電子機器ユニットに関する。
【背景技術】
【０００２】
近年、ＳＩＭ（Subscriber  Identity  Module）カードなどのＩＣ（Integrated  Circuit）カードを装着可能な電子機器が知られている。これらの例として、パソコン（パーソナルコンピュータ）や携帯電話などが知られているが、ＩＣカードを装着して使用する場合、通電中にＩＣカードを挿抜（活線挿抜）すると電気的にＩＣ等が破壊されてしまうという問題がある。
【０００３】
そのため、携帯電話などではバッテリーパック装着部とＩＣカード装着部が対面するような位置にあり、バッテリーパックを抜かないとＩＣカードが取れない構造となっている。バッテリーのないパソコンでは電源プラグを利用してロックし、電源供給されたときにロックが働く機構を持つものが既に知られている。例えば、特許文献１には、ＩＣカードの活線挿抜を防ぐ目的で、電源プラグの挿入口にロック棒をつけてロックする構造とモータや磁石によりロックする構造が開示されている。
【０００４】
しかし、今までのロック機構では電源プラグの差込口に近いところにＩＣカードの挿入口を設けなければならないという問題がある。また、電源プラグで直接ロックを行う場合は、電源プラグの差込口とＩＣカード挿入口を近づける必要があり、実装の制限により実現できない場合がある。その場合は別基板で近くに配置するしかなく、基板が重なってしまうため、構造が複雑になってしまう。また、電源プラグとＩＣカード挿入口が重なる場合、カバーの開口が大きくなるなど見た目が悪くなってしまう。さらに、電源プラグとＩＣカード挿入口が配置上遠くなってしまう場合は、電気制御でロック機構をつけるために部品点数が増えるなどの問題があった。
【発明の概要】
【発明が解決しようとする課題】
【０００５】
本発明は、以上の従来技術における問題に鑑みてなされたものであり、ＩＣカード挿抜の際に確実に電源が入っていない状態にすることが可能な電源供給ケーブルを提供することを目的とする。
【課題を解決するための手段】
【０００６】
上記課題を解決するための本発明は、電子機器に電源を供給するための電源供給ケーブルであって、ＩＣカードを装着するＩＣカード装着部と、前記ＩＣカード装着部に装着されたＩＣカードの情報を前記電子機器で読取可能に接続する接続部と、を備え、前記ＩＣカード装着部の挿入口は、前記接続部が前記電子機器に嵌合される方向に向いていることを特徴とする。
【発明の効果】
【０００７】
本発明によれば、ＩＣカード挿抜の際に確実に電源が入っていない状態にすることが可能な電源供給ケーブルを提供することができる。
【図面の簡単な説明】
【０００８】
【図１】電源供給ケーブルの一実施の形態における斜視図を示す概略図である。
【図２】電源供給ケーブルの一実施の形態におけるＩＣカードを挿入する前の概略図である。
【図３】電源供給ケーブルの一実施の形態におけるＩＣカードを挿入した後の概略図である。
【図４】電源供給ケーブルの一実施の形態における挿抜方向からの断面図を示す概略図である。
【図５】電源供給ケーブルと電子機器が接続した場合の一実施の形態における斜視図を示す概略図である。
【図６】電源供給ケーブルと電子機器が接続した場合の一実施の形態における横方向からの図を示す概略図である。
【図７】電源供給ケーブルと電子機器が離間した場合の一実施の形態における斜視図を示す概略図である。
【図８】電源供給ケーブルと電子機器の機能ブロック図の一例である。
【図９】中継コネクタの一実施の形態における斜視図を示す概略図である。
【発明を実施するための形態】
【０００９】
以下、本発明に係る電源供給ケーブル、中継コネクタ及び電子機器ユニットの一実施形態について図面を参照しながら説明する。なお、本発明は以下に示す実施形態に限定されるものではなく、他の実施形態、追加、修正、削除など、当業者が想到することができる範囲内で変更することができ、いずれの態様においても本発明の作用、効果を奏する限り、本発明の範囲に含まれるものである。
【００１０】
＜第１の実施形態＞
本実施形態に係る電源供給ケーブルの構成及び制御について図１〜８を用いて説明する。図１は、電源供給ケーブル１の構成例の斜視図である。図１では、ＩＣカード２を装着するＩＣカード装着部３、ＩＣカード装着部３に装着されたＩＣカード２の情報を電子機器２０で読取可能に接続する接続部４を備えたアダプタ６と電源ケーブル１０が図示されている。電源ケーブル１０は外部電源を供給するためのケーブルである。
【００１１】
図２はＩＣカード装着部３にＩＣカード２を挿入する前の構成例を示す図であり、図３はＩＣカード装着部３にＩＣカード２を挿入した後の構成例を示す図である。図１〜３に示されるように、ＩＣカード装着部３の挿入口３ａは、接続部４が電子機器２０に嵌合される方向に向いている。また、ＩＣカード２をＩＣカード装着部３の最奥部まで挿入すると図３のようになり、接続部４の挿抜の邪魔にならないような配置になっている。
【００１２】
本実施形態において、ＩＣカード２は特に制限はなく、例えば、ＳＩＭ（Subscriber  Identity  Module）カード等が挙げられる。
【００１３】
図４はＩＣカード２の挿抜方向に対する電源供給ケーブル１の断面図であり、ＩＣカード装着部３に装着されたＩＣカード２の情報を電子機器２０で読取可能に接続する接続部４が断面図として図示されている。接続部４には、電力を受給するための接触端子１３の他に、ＩＣカード２の信号を受け渡しするための接触端子１４が備えられている。このため、本実施形態に係る電源供給ケーブル１が電子機器２０と嵌合した場合、電子機器２０に電源を供給するとともに、ＩＣカード装着部３に装着されたＩＣカード２の情報を電子機器２０に受け渡すことができる。
【００１４】
次に、電源供給ケーブル１と電子機器２０が接続した場合の構成例を図５、図６に示す。また、電源供給ケーブル１と電子機器２０が離間した場合の構成例を図７に示す。
【００１５】
図５〜７では、電子機器２０として、パソコン（パーソナルコンピュータ）が用いられている例が示されているが、特に制限されるものではなく、例えば、携帯電話、デジタルカメラ、オーディオ機器等が挙げられる。
電子機器２０は、ＩＣカード２の情報を処理する情報処理部が備えられている。情報処理部は、特に制限はなく、ＩＣカード２の情報を読取が可能であり、さらに必要に応じて、書込が可能な構成としてもよい。
【００１６】
図８は、電源供給ケーブル１と電子機器２０の機能ブロック図の一例を示す図である。電子機器２０は、装置全体の動作を制御するＣＰＵ２１、ＣＰＵ２１の駆動に用いられている各プログラムを記憶したＲＯＭ２２、ＣＰＵ２１のワークエリアとして使用されるＲＡＭ２３、プログラム等の各種データを記憶するＨＤＤ２４、通信ネットワークを利用してデータの送受信をするためのＩ／Ｆ２５等が、バスラインで電気的に接続されることで構成されている。ＩＣカード装着部３に装着されたＩＣカード２の情報が、電源供給ケーブル１の接続部４及び電子機器２０のジャック５を介して情報処理部２６で処理される。
【００１７】
接続部４とジャック５には、それぞれ電力を受給するための接触端子１３とＩＣカード２の信号を受け渡しするための接触端子１４が備えられており、電源供給ケーブル１から電子機器２０に電力が供給される。
【００１８】
また、電子機器２０としては、バッテリー駆動するものであってもよいが、特にバッテリー駆動しない電子機器２０に対して、電力供給時のＩＣカード２の挿抜によるＩＣ等の電気的な破壊を防止することができる。
【００１９】
上述のように、ＩＣカード装着部３の挿入口３ａは、接続部４が電子機器２０に嵌合される方向に向いているため、図５、図６に示されるように、電源供給ケーブル１と電子機器２０が接続した場合、ＩＣカード２の挿抜ができなくなる。これにより、電力を供給している場合、ＩＣカード２の挿抜をすることができず、活線挿抜の状態を防ぐことができ、ＩＣ等が電気的に破壊されてしまうことを防止することができる。
【００２０】
また、図５、図６に示されるように、ＩＣカード装着部３の挿入口３ａが、接続部４と嵌合可能なジャック５が設けられた電子機器２０の外装面２０ａと対向する位置にあることが好ましい。この場合、ＩＣカード２の挿抜を防止できるので、より確実に活線挿抜の状態を防ぐことができる。
【００２１】
図７は電源供給ケーブル１と電子機器２０が離間した場合の構成例を示し、電子機器２０は、接続部４と嵌合可能なジャック５を有している。ジャック５は、電力を受給するための接触端子とＩＣカード２の信号を受け渡しするための接触端子とを備えており、接続部４が嵌合することにより、電子機器２０に電力とＩＣカード２の情報を受け渡すことができる。
【００２２】
また、本実施形態に係る電源供給ケーブル１の他端側は、特に制限されるものではないが、コンセントと接続するためのプラグにすることができる。本実施形態では、これに制限されるものではなく、例えば、ＵＳＢ（Universal  Serial  Bus）プラグ等として、パソコン等に接続し、電力を電子機器２０に供給する電源供給ケーブル１とすることもできる。
【００２３】
＜第２の実施形態＞
以下、本発明に係る電源供給ケーブルのその他の実施形態について説明する。なお、上記実施形態と同様の点についての説明は省略する。
【００２４】
図９には、電子機器２０に電源を供給するための外部電源ケーブル１１と電子機器２０との間に設けられる中継コネクタ７が図示されている。図９（Ａ）は外部電源ジャック１２が見える方向からの斜視図であり、図９（Ｂ）は別方向からの斜視図である。中継コネクタ７は、ＩＣカードを装着するＩＣカード装着部３、ＩＣカード装着部３に装着されたＩＣカード２の情報を電子機器２０で読取可能に接続する接続部４を備えたアダプタ６からなる。図９に示されるように、ＩＣカード装着部３の挿入口３ａは、接続部４が電子機器２０に嵌合される方向に向いている。これにより、中継コネクタ７と電子機器２０の接続を解除しないとＩＣカード２を挿抜することができない。
【００２５】
中継コネクタ７は、外部電源ジャック１２を有しており、外部電源ジャック１２と嵌合する外部電源ケーブル１１を接続することで、電子機器２０に電力を供給することができる。外部電源ケーブル１１は、中継コネクタ７と嵌合可能であればよく、特に制限はない。例えば、市販されているケーブルを用いることができる。
【００２６】
＜第３の実施形態＞
本実施形態に係る電子機器ユニットについて説明する。なお、上記実施形態と同様の点についての説明は省略する。
【００２７】
本実施形態に係る電子機器ユニットの構成例は、例えば、図５、図６等に図示されている。電子機器ユニットは、前記電源供給ケーブル１が接続されて、電源が供給されるとともに、接続部４を介してＩＣカード２の情報を処理する情報処理部を備えた電子機器２０と、前記電源供給ケーブル１からなる。
【００２８】
上記の他、電子機器ユニットは、中継コネクタ７を介して外部電源ケーブル１１が接続されて、電源が供給されるとともに、接続部４を介してＩＣカード２の情報を処理する情報処理部を備えた電子機器２０と、中継コネクタ７及び外部電源ケーブル１１からなる構成としてもよい。
【００２９】
また、ＩＣカード装着部３の挿入口３ａと電子機器２０の外装面２０ａとの間隔が、ＩＣカード２の挿入方向の幅よりも小さいことが好ましい。これにより、電力が供給されている場合における、ＩＣカード２の挿抜をより確実に防止することができる。
【００３０】
以上、本発明によれば、ＩＣカードを抜き差しするときは確実に電源が入っていない状態にできるため、活線挿抜によるＩＣ等の電気的な破壊を防ぐことができる。また、電源プラグ側にＩＣカードを配置することで、ロック機能を個別に配置することなくロック機能を達成させることができるので、パソコン等の電子機器の部品点数を減らすことができる。
【符号の説明】
【００３１】
１    電源供給ケーブル
２    ＩＣカード
３    ＩＣカード装着部
３ａ  挿入口
４    接続部
５    ジャック
６    アダプタ
７    中継コネクタ
１０    電源ケーブル
１１    外部電源ケーブル
１２    外部電源ジャック
１３、１４    接触端子
２０    電子機器
２０ａ  外装面
２１    ＣＰＵ
２２    ＲＯＭ
２３    ＲＡＭ
２４    ＨＤＤ
２５    Ｉ／Ｆ
２６    情報処理部
【先行技術文献】
【特許文献】
【００３２】
【特許文献１】特開２０１１−２７１１０号公報
【図１】
2015106537.tif 000003
【図２】
2015106537.tif 000004
【図３】
2015106537.tif 000005
【図４】
2015106537.tif 000006
【図５】
2015106537.tif 000007
【図６】
2015106537.tif 000008
【図７】
2015106537.tif 000009
【図８】
2015106537.tif 000010
【図９】
2015106537.tif 000011